(57)【特許請求の範囲】
【請求項１】
硫酸塩溶液の濃度を自動的に測量できる設備であって、外殻を含み、前記外殻の中には作動空間が設置され、前記作動空間の上側内壁には第一伝動軸が回転可能に連結され、前記第一伝動軸には回転方向を選ぶ一方向軸受が設置され、前記第一伝動軸には前記一方向軸受の下側に位置する反応部品が設置され、前記反応部品は前記第一伝動軸に設置された固定棒と、前記固定棒に設置された固定ブロックと、前記第一伝動軸と回転可能に連結された回転棒と、前記回転棒に設置された回転ブロックとを含み、前記回転ブロックと前記固定ブロックとが反応容器に組み合わせ、前記第一伝動軸の間欠的な回転により前記固定棒と前記回転棒とが溶液の反応を加速でき、前記第一伝動軸には前記固定棒の上側に位置する支持枠が設置され、前記支持枠には制御部品が設置され、前記制御部品は前記支持枠に設置された電磁石と、前記回転ブロックに設置された磁石と、前記作動空間の後ろ側内壁とスライド可能に連結された調整ラックとを含み、前記電磁石の磁性を変えることで、前記磁石と前記調整ラックとを前記電磁石に接近させる又は離れさせることができ、制御機能を実現し、前記支持枠の上端には洗浄容器が設置され、前記作動空間の上側内壁には前記作動空間の上内壁に設けられたモータの左後側に位置する第二伝動軸が回転可能に連結され、前記第二伝動軸の下端には制御弁歯車が設置され、前記作動空間の中には液体に制御機能を果たす三つの液体制御装置が設置され、三つの前記液体制御装置のうち二つの前記液体制御装置が前記制御弁歯車の左右両側に対称に設置され、もう一つが前記洗浄容器の右側に位置し、前記作動空間の後側内壁には予備容器が設置され、前記作動空間の後ろ側内壁には前記予備容器の右側に位置する濾過容器が設置され、前記作動空間の後ろ側内壁には板変え部品が設置され、前記板変え部品は前記作動空間の後側内壁にスライド可能に連結された押し動かしラックと、前記予備容器とスライド可能に連結され且つ前記押し動かしラックと当接した濾過板とを含み、前記押し動かしラックが右方へ移動すると、前記濾過板が右方へ押し動かされ、板が変えられることができ、前記板変え部品の上側には部品間に伝動機能を果たす伝動部品が設置され、前記作動空間の後ろ側内壁には測量部品が設置され、前記測量部品は前記作動空間の後ろ側内壁とスライド可能に連結されたスライダと、前記スライダの上側に設置された計量板と、前記計量板と前記作動空間の下側内壁との間に連結されたばねとを含むことを特徴とする硫酸塩溶液の濃度を自動的に測量できる設備。
【請求項２】
前記回転ブロックと前記固定ブロックとにより構成された反応容器の内部には溶液反応のための反応空間が設置され、前記洗浄容器の中には蒸留水を収納する蒸留水空間が設置され、前記予備容器の中には予備空間が設置され、前記濾過容器の中には濾過空間が設置され、前記濾過空間の内壁には沈殿物を乾燥させる加熱板が設置され、前記濾過空間と外部とが下水管によって連結されていることを特徴とする請求項１に記載の硫酸塩溶液の濃度を自動的に測量できる設備。
【請求項３】
前記一方向軸受は、前記第一伝動軸と回転可能に連結された軸受箱を含み、前記軸受箱には止めブロックが六つ環状に配列され、前記軸受箱には前記止めブロックと当接できる止め棒が回転可能に連結され、前記止め棒と前記軸受箱との間には軸受ばねが連結され、前記軸受箱の中には回転空間が設置され、前記回転空間の中には前記第一伝動軸と固定的に連結されたスラスト歯が設置されていることを特徴とする請求項１に記載の硫酸塩溶液の濃度を自動的に測量できる設備。
【請求項４】
前記制御部品は、前記支持枠に設置された調整スライド道を含み、前記調整スライド道と前記調整ラックとがスライド可能に連結されていることを特徴とする請求項１に記載の硫酸塩溶液の濃度を自動的に測量できる設備。
【請求項５】
前記制御弁歯車の左右両側に位置する二つの前記液体制御装置は、前記作動空間の後ろ側内壁に設置された弁棒外殻を含み、前記弁棒外殻の中には弁空間が設置され、前記弁空間の上側内壁には弁棒が回転可能に連結され、前記弁棒の上端には弁体歯車が設置され、前記弁体歯車の直径を前記制御弁歯車の直径の二分の一にすることで、伝動を秩序的に行うことを保証し、前記弁棒の下端には弁玉が設置され、前記弁玉の中には貫穴が設置され、前記洗浄容器の右側に位置する液体制御装置は、前記支持枠に固定的に設置された弁体外殻を含み、前記弁体外殻の中には弁空間が設置され、前記弁空間の右側内壁には弁棒が回転可能に連結され、前記弁棒の右端には前記調整ラックと噛み合った前記弁体歯車が設置され、前記弁棒の左端には前記弁玉が設置され、前記弁玉の中には前記貫穴が設置されていることを特徴とする請求項２に記載の硫酸塩溶液の濃度を自動的に測量できる設備。
【請求項６】
前記制御弁歯車の左右両側に位置する二つの前記弁棒外殻と外部とが溶液入管により連通され、且つ前記弁棒外殻と反応空間とが溶液排出管により連結され、前記洗浄容器の右側に位置する前記弁棒外殻と前記蒸留水空間との間には進水管が連結され、前記弁棒外殻と前記反応空間との間には排水管が連結されていることを特徴とする請求項５に記載の硫酸塩溶液の濃度を自動的に測量できる設備。
【請求項７】
前記板変え部品は、前記作動空間の前側内壁に回転可能に連結された第三伝動軸を含み、前記第三伝動軸には前記押し動かしラックと噛み合った主動歯車が設置され、前記作動空間の前側内壁には第四伝動軸が回転可能に連結され、前記第四伝動軸には前記押し動かしラックと噛み合った副歯車が設置され、前記副歯車と前記主動歯車とが噛み合うことができることを特徴とする請求項１に記載の硫酸塩溶液の濃度を自動的に測量できる設備。
【請求項８】
前記伝動部品は、前記作動空間の上側内壁に回転可能に連結され且つ前記第二伝動軸の左側に位置する第五伝動軸を含み、前記第五伝動軸には第一副プーリが設置され、前記第一副プーリと前記一方向軸受との間にはベルトが連結され、前記第五伝動軸の下端には対称傘歯車が設置され、前記対称傘歯車の直径を前記傘歯車の直径の四倍にすることで、秩序的な伝動を保証でき、前記第三伝動軸には前記対称傘歯車と噛み合った傘歯車が設置されていることを特徴とする請求項７に記載の硫酸塩溶液の濃度を自動的に測量できる設備。
【請求項９】
前記第二伝動軸には第二副プーリが設置され、前記第二副プーリが前記一方向軸受の左後側に位置することを特徴とする請求項１に記載の硫酸塩溶液の濃度を自動的に測量できる設備。
【請求項１０】
前記測量部品は、前記作動空間の後ろ側内壁に設置されたスライド道を含み、前記スライド道と前記スライダとがスライド可能に連結され、前記計量板の右側端面には指針が設置されていることを特徴とする請求項１に記載の硫酸塩溶液の濃度を自動的に測量できる設備。
【発明の詳細な説明】
【技術分野】
【０００１】
本願発明は溶液濃度の測量技術分野に関し、具体的には硫酸塩溶液の濃度を自動的に測量できる設備に関する。
【背景技術】
【０００２】
硫酸塩は実験にありふれた反応生成物であり、硫酸塩溶液の濃度により反応程度や反応原理など一連のデータを分析することがよくある。一般に重量法で硫酸塩溶液の濃度を測量するのであり、しかし現在、人力に頼る場合が多いため、誤差が避けられない。本願発明は上記問題を解決できる。
【先行技術文献】
【特許文献】
【０００３】
【特許文献１】中国特許出願公開第１０１７６２５６７号明細書
【発明の概要】
【発明が解決しようとする課題】
【０００４】
技術問題：
現在、人力に頼って硫酸塩溶液の濃度を測量する場合が多いため、誤差が避けられない。
【課題を解決するための手段】
【０００５】
硫酸塩溶液の濃度を自動的に測量できる設備であって、外殻を含み、前記外殻の中には作動空間が設置され、前記作動空間の上側内壁には第一伝動軸が回転可能に連結され、前記第一伝動軸には回転方向を選ぶ一方向軸受が設置され、前記第一伝動軸には前記一方向軸受の下側に位置する反応部品が設置され、前記反応部品は前記第一伝動軸に設置された固定棒と、前記固定棒に設置された固定ブロックと、前記第一伝動軸と回転可能に連結された回転棒と、前記回転棒に設置された回転ブロックとを含み、前記回転ブロックと前記固定ブロックとが反応容器に組み合わせ、前記第一伝動軸の間欠的な回転により前記固定棒と前記回転棒とが溶液の反応を加速でき、前記第一伝動軸には前記固定棒の上側に位置する支持枠が設置され、前記支持枠には制御部品が設置され、前記制御部品は前記支持枠に設置された電磁石と、前記回転ブロックに設置された磁石と、前記作動空間の後ろ側内壁とスライド可能に連結された調整ラックとを含み、前記電磁石の磁性を変えることで、前記磁石と前記調整ラックとを前記電磁石に接近させる又は離れさせることができ、制御機能を実現し、前記支持枠の上端には洗浄容器が設置され、前記作動空間の上側内壁には前記作動空間の上内壁に設けられたモータの左後側に位置する第二伝動軸が回転可能に連結され、前記第二伝動軸の下端には制御弁歯車が設置され、前記作動空間の中には液体に制御機能を果たす三つの液体制御装置が設置され、三つの前記液体制御装置のうち二つの前記液体制御装置が前記制御弁歯車の左右両側に対称に設置され、もう一つが前記洗浄容器の右側に位置し、前記作動空間の後側内壁には予備容器が設置され、前記作動空間の後ろ側内壁には前記予備容器の右側に位置する濾過容器が設置され、前記作動空間の後ろ側内壁には板変え部品が設置され、前記板変え部品は前記作動空間の後側内壁にスライド可能に連結された押し動かしラックと、前記予備容器とスライド可能に連結され且つ前記押し動かしラックと当接した濾過板とを含み、前記押し動かしラックが右方へ移動すると、前記濾過板が右方へ押し動かされ、板が変えられることができ、前記板変え部品の上側には部品間に伝動機能を果たす伝動部品が設置され、前記作動空間の後ろ側内壁には測量部品が設置され、前記測量部品は前記作動空間の後ろ側内壁とスライド可能に連結されたスライダと、前記スライダの上側に設置された計量板と、前記計量板と前記作動空間の下側内壁との間に連結されたばねとを含む。
【０００６】
有益的に、前記回転ブロックと前記固定ブロックとにより構成された反応容器の内部には溶液反応のための反応空間が設置され、前記洗浄容器の中には蒸留水を収納する蒸留水空間が設置され、前記予備容器の中には予備空間が設置され、前記濾過容器の中には濾過空間が設置され、前記濾過空間の内壁には沈殿物を乾燥させる加熱板が設置され、前記濾過空間と外部とが下水管によって連結されている。
【０００７】
有益的には、前記一方向軸受は、前記第一伝動軸と回転可能に連結された軸受箱を含み、前記軸受箱には止めブロックが六つ環状に配列され、前記軸受箱には前記止めブロックと当接できる止め棒が回転可能に連結され、前記止め棒と前記軸受箱との間には軸受ばねが連結され、前記軸受箱の中には回転空間が設置され、前記回転空間の中には前記第一伝動軸と固定的に連結されたスラスト歯が設置されている。
【０００８】
有益的には、前記制御部品は、前記支持枠に設置された調整スライド道を含み、前記調整スライド道と前記調整ラックとがスライド可能に連結されている。
【０００９】
前記制御弁歯車の左右両側に位置する二つの前記液体制御装置は、前記作動空間の後ろ側内壁に設置された弁棒外殻を含み、前記弁棒外殻の中には弁空間が設置され、前記弁空間の上側内壁には弁棒が回転可能に連結され、前記弁棒の上端には弁体歯車が設置され、前記弁体歯車の直径を前記制御弁歯車の直径の二分の一にすることで、伝動を秩序的に行うことを保証し、前記弁棒の下端には弁玉が設置され、前記弁玉の中には貫穴が設置され、前記洗浄容器の右側に位置する液体制御装置は、前記支持枠に固定的に設置された弁体外殻を含み、前記弁体外殻の中には弁空間が設置され、前記弁空間の右側内壁には弁棒が回転可能に連結され、前記弁棒の右端には前記調整ラックと噛み合った前記弁体歯車が設置され、前記弁棒の左端には前記弁玉が設置され、前記弁玉の中には前記貫穴が設置されている。
【００１０】
前記制御弁歯車の左右両側に位置する二つの前記弁棒外殻と外部とが溶液入管により連通され、且つ前記弁棒外殻と反応空間とが溶液排出管により連結され、前記洗浄容器の右側に位置する前記弁棒外殻と前記蒸留水空間との間には進水管が連結され、前記弁棒外殻と前記反応空間との間には排水管が連結されている。
【００１１】
前記板変え部品は、前記作動空間の前側内壁に回転可能に連結された第三伝動軸を含み、前記第三伝動軸には前記押し動かしラックと噛み合った主動歯車が設置され、前記作動空間の前側内壁には第四伝動軸が回転可能に連結され、前記第四伝動軸には前記押し動かしラックと噛み合った副歯車が設置され、前記副歯車と前記主動歯車とが噛み合うことができる。
【００１２】
前記伝動部品は、前記作動空間の上側内壁に回転可能に連結され且つ前記第二伝動軸の左側に位置する第五伝動軸を含み、前記第五伝動軸には第一副プーリが設置され、前記第一副プーリと前記一方向軸受との間にはベルトが連結され、前記第五伝動軸の下端には対称傘歯車が設置され、前記対称傘歯車の直径を前記傘歯車の直径の四倍にすることで、秩序的な伝動を保証でき、前記第三伝動軸には前記対称傘歯車と噛み合った傘歯車が設置されている。
【００１３】
前記第二伝動軸には第二副プーリが設置され、前記第二副プーリが前記一方向軸受の左後側に位置する。
【００１４】
前記測量部品は、前記作動空間の後ろ側内壁に設置されたスライド道を含み、前記スライド道と前記スライダとがスライド可能に連結され、前記計量板の右側端面には指針が設置されている。
【発明の効果】
【００１５】
本願発明の有益効果は：本願発明は一方向軸受を採用することで異なる部品間の移動を隔て、電磁石を採用することで、溶液を捨てることと洗浄工程を同時に行い、沈殿物のきれいさを保証し、電熱板を採用することで、沈殿物の乾燥を保証し実験結果への影響を減らし、液体制御装置を採用することで、試験溶液を自動的に入れることができ、人力による測量から生じる誤差が測量に影響する現状を改善する。
【図面の簡単な説明】
【００１６】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１７】
【図１】図１は本願発明の全体構成図
【図２】図２は図１におけるＡ―Ａ方向の構成図
【図３】図３は図１におけるＢの構成拡大図
【図４】図４は図１における一方向軸受の構成図
【図５】図５は図１における弁体歯車の構成図
【発明を実施するための形態】
【００１８】
硫酸塩溶液の濃度を自動的に測量できる設備であって、主に硫酸液溶液の濃度測量に用いられ、下記に明細書図面と合わせて詳しく説明する：
【００１９】
硫酸塩溶液の濃度を自動的に測量できる設備であって、外殻１１を含み、前記外殻１１の中には作動空間１２が設置され、前記作動空間１２の上側内壁には第一伝動軸４３が回転可能に連結され、前記第一伝動軸４３には回転方向を選ぶ一方向軸受９０１が設置され、前記第一伝動軸４３には前記一方向軸受９０１の下側に位置する反応部品９０２が設置され、前記反応部品９０２は前記第一伝動軸４３に設置された固定棒６５と、前記固定棒６５に設置された固定ブロック１４と、前記第一伝動軸４３と回転可能に連結された回転棒６４と、前記回転棒６４に設置された回転ブロック３３とを含み、前記回転ブロック３３と前記固定ブロック１４とが反応容器に組み合わせ、前記第一伝動軸４３の間欠的な回転により前記固定棒６５と前記回転棒６４とが溶液の反応を加速でき、前記第一伝動軸４３には前記固定棒６５の上側に位置する支持枠３６が設置され、前記支持枠３６には制御部品９０３が設置され、前記制御部品９０３は前記支持枠３６に設置された電磁石３５と、前記回転ブロック３３に設置された磁石３４と、前記作動空間１２の後ろ側内壁とスライド可能に連結された調整ラック３７とを含み、前記電磁石３５の磁性を変えることで、前記磁石３４と前記調整ラック３７とを前記電磁石３５に接近させる又は離れさせることができ、制御機能を実現し、前記支持枠３６の上端には洗浄容器４０が設置され、前記作動空間１２の上側内壁には前記作動空間１２の上内壁に設けられたモータ４２の左後側に位置する第二伝動軸４４が回転可能に連結され、前記第二伝動軸４４の下端には制御弁歯車６２が設置され、前記作動空間１２の中には液体に制御機能を果たす三つの液体制御装置９０４が設置され、三つの前記液体制御装置９０４のうち二つの前記液体制御装置９０４が前記制御弁歯車６２の左右両側に対称に設置され、もう一つが前記洗浄容器４０の右側に位置し、前記作動空間１２の後側内壁には予備容器２１が設置され、前記作動空間１２の後ろ側内壁には前記予備容器２１の右側に位置する濾過容器２３が設置され、前記作動空間１２の後ろ側内壁には板変え部品９０５が設置され、前記板変え部品９０５は前記作動空間１２の後側内壁にスライド可能に連結された押し動かしラック１６と、前記予備容器２１とスライド可能に連結され且つ前記押し動かしラック１６と当接した濾過板２２とを含み、前記押し動かしラック１６が右方へ移動すると、前記濾過板２２が右方へ押し動かされ、板が変えられることができ、前記板変え部品９０５の上側には部品間に伝動機能を果たす伝動部品９０６が設置され、前記作動空間１２の後ろ側内壁には測量部品９０７が設置され、前記測量部品９０７は前記作動空間１２の後ろ側内壁とスライド可能に連結されたスライダ２６と、前記スライダ２６の上側に設置された計量板２８と、前記計量板２８と前記作動空間１２の下側内壁との間に連結されたばね２７とを含み、異なる前記濾過板２２と前記濾過板２２に付着する沈殿物の総重量や、前記計量板２８の異なる高さにより、前記ばね２７の圧縮量を変えることで、硫酸根の含有量を判断できる。
【００２０】
有益的には、前記回転ブロック３３と前記固定ブロック１４とにより構成された反応容器の内部には溶液反応のための反応空間６９が設置され、前記洗浄容器４０の中には蒸留水を収納する蒸留水空間４１が設置され、前記予備容器２１の中には予備空間２０が設置され、前記濾過容器２３の中には濾過空間３２が設置され、前記濾過空間３２の内壁には沈殿物を乾燥させる加熱板３１が設置され、前記濾過空間３２と外部とが下水管２４によって連結されている。
【００２１】
有益的には、前記一方向軸受９０１は、前記第一伝動軸４３と回転可能に連結された軸受箱４９を含み、前記軸受箱４９には止めブロック４８が六つ環状に配列され、前記軸受箱４９には前記止めブロック４８と当接できる止め棒５０が回転可能に連結され、前記止め棒５０と前記軸受箱４９との間には軸受ばね５２が連結され、前記軸受箱４９の中には回転空間５１が設置され、前記回転空間５１の中には前記第一伝動軸４３と固定的に連結されたスラスト歯３９が設置され、前記スラスト歯３９が時計回りに回転すると、前記軸受箱４９が連動して時計回りに回転し、前記スラスト歯３９が反時計回りに回転すると、前記軸受ばね５２が圧縮される。
【００２２】
有益的には、前記制御部品９０３は、前記支持枠３６に設置された調整スライド道３８を含み、前記調整スライド道３８と前記調整ラック３７とがスライド可能に連結されている。
【００２３】
有益的には、前記制御弁歯車６２の左右両側に位置する二つの前記液体制御装置９０４は、前記作動空間１２の後ろ側内壁に設置された弁棒外殻５７を含み、前記弁棒外殻５７の中には弁空間６０が設置され、前記弁空間６０の上側内壁には弁棒５６が回転可能に連結され、前記弁棒５６の上端には弁体歯車５５が設置され、前記弁体歯車５５の直径を前記制御弁歯車６２の直径の二分の一にすることで、伝動を秩序的に行うことを保証し、前記弁棒５６の下端には弁玉５８が設置され、前記弁玉５８の中には貫穴５９が設置され、前記洗浄容器４０の右側に位置する液体制御装置９０４は、前記支持枠３６に固定的に設置された弁体外殻５７を含み、前記弁体外殻５７の中には弁空間６０が設置され、前記弁空間６０の右側内壁には弁棒５６が回転可能に連結され、前記弁棒５６の右端には前記調整ラック３７と噛み合った前記弁体歯車５５が設置され、前記弁棒５６の左端には前記弁玉５８が設置され、前記弁玉５８の中には前記貫穴５９が設置され、貫穴５９の方向を変えることで、液体に対する制御機能を果たせる。
【００２４】
有益的には、前記制御弁歯車６２の左右両側に位置する二つの前記弁棒外殻５７と外部とが溶液入管４６により連通され、且つ前記弁棒外殻５７と反応空間６９とが溶液排出管６１により連結され、前記洗浄容器４０の右側に位置する前記弁棒外殻５７と前記蒸留水空間４１との間には進水管６７が連結され、前記弁棒外殻５７と前記反応空間６９との間には排水管６８が連結されている。
【００２５】
有益的には、前記板変え部品９０５は、前記作動空間１２の前側内壁に回転可能に連結された第三伝動軸５４を含み、前記第三伝動軸５４には前記押し動かしラック１６と噛み合った主動歯車１７が設置され、前記作動空間１２の前側内壁には第四伝動軸５３が回転可能に連結され、前記第四伝動軸５３には前記押し動かしラック１６と噛み合った副歯車１９が設置され、前記副歯車１９と前記主動歯車１７とが噛み合うことができ、時計回りに回転している前記主動歯車１７と前記押し動かしラック１６とが噛み合うと、前記押し動かしラック１６が連動して右方に移動し、時計回りに回転している前記主動歯車１７が前記副歯車１９と噛み合うと、前記副歯車１９が前記押し動かしラック１６を左方へ移動連動させ、これで前記押し動かしラック１６を左右に往復に移動させることができる。
【００２６】
有益的には、前記伝動部品９０６は、前記作動空間１２の上側内壁に回転可能に連結され且つ前記第二伝動軸４４の左側に位置する第五伝動軸１３を含み、前記第五伝動軸１３には第一副プーリ６３が設置され、前記第一副プーリ６３と前記一方向軸受９０１との間にはベルト４７が連結され、前記第五伝動軸１３の下端には対称傘歯車１８が設置され、前記対称傘歯車１８の直径を前記傘歯車６６の直径の四倍にすることで、秩序的な伝動を保証でき、前記第三伝動軸５４には前記対称傘歯車１８と噛み合った傘歯車６６が設置されている。
【００２７】
有益的には、前記第二伝動軸４４には第二副プーリ４５が設置され、前記第二副プーリ４５が前記一方向軸受９０１の左後側に位置することで、各プーリ同士の間における前記ベルト４７の張力を保証し、伝動を正常に行う。
【００２８】
有益的には、前記測量部品９０７は、前記作動空間１２の後ろ側内壁に設置されたスライド道２５を含み、前記スライド道２５と前記スライダ２６とがスライド可能に連結され、前記計量板２８の右側端面には指針２９が設置され、前記作動空間１２の前側内壁にはスケール３０が設置され、前記指針２９が前記スケール３０におけるメモリを指しており、指されているところは硫酸塩溶液の濃度である。
【００２９】
図１〜５と合わせて本願発明の使用手順を説明する：
初期状態のとき、制御弁歯車６２の左右両側に対称に設置された二つの液体制御装置９０４の中の貫穴５９が左右の導水管と連通しなく、蒸留水空間４１の右側に設置された液体制御装置９０４の中に貫穴５９が上下の導水管と連通しなく、電磁石３５と磁石３４の磁性が逆であり、回転ブロック３３と固定ブロック１４とが当接して反応容器に形成する。
左側の溶液入管４６を検測待の硫酸塩溶液に入れ、右側の溶液入管４６の中に飽和塩化バリウムと希塩酸の混合溶液を入れた後、モータ４２を起動し、第一伝動軸４３が反時計回りに回転して順次に一方向軸受９０１とベルト４７と第二副プーリ４５と第二伝動軸４４とにより制御弁歯車６２を反時計回りに四十五度回転連動させ、左側の弁体歯車５５と左側の弁棒５６と左側の弁玉５８とにより左側の貫穴５９が連動して左右両側の導水管と連通し、検測待の硫酸塩溶液が左側の溶液入管４６と貫穴５９と左側の溶液排出管６１とを経由して反応空間６９の中に入り、したがって右側の弁体歯車５５と右側の弁棒５６と右側の弁玉５８が右側の貫穴５９を連動させて左右両側の導水管と連通させ、飽和塩化バリウムと希塩酸の混合溶液が右側の溶液入管４６と貫穴５９と右側の溶液排出管６１とを経由して反応空間６８の中に入ったとき、モータ４２を止め、五秒間後溶液が指定量に達した後にモータ４２を起動し、したがって第一伝動軸４３が反時計回りに回転して順次に一方向軸受９０１とベルト４７と第二副プーリ４５と第二伝動軸４４とにより制御弁歯車６２を反時計回りに四十五度回転連動させ、左側の弁体歯車５５と左側の弁棒５６と左側の弁玉５８とが左側の貫穴５９を連動させて左右両側の導水管と連通させなく、右側の弁体歯車５５と右側の弁棒５６と右側の弁玉５８が右側の貫穴５９を連動させて左右両側の導水管と連通させなく、このときモータ４２を止め、電磁石３５の磁性を変え、磁石３４が電磁石３５に密着し、磁石３４が回転して回転ブロック３３を回転連動させて固定ブロック１４と離れさせ、反応空間６９の中の沈殿物と溶液が濾過空間３２の中に入ると同時に、調整ラック３７が電磁石３５に近づき、洗浄容器４０の右側の弁体歯車５５が洗浄容器４０の右側の弁棒５６と、洗浄容器４０の右側の貫穴５９とを連動させて左右の導水管と連通させ、蒸留水空間４１の中の蒸留水が進水管６７と貫穴５９と排水管６８とを経由して反応空間６９の中に入って反応空間６９の内壁に付着する沈殿物と濾過板２２の中の沈殿物を洗い流し、沈殿物を洗浄完了後、電磁石３５の磁性が初期状態まで戻り、蒸留水が流れ出なくなり、且つ反応空間６９が初期状態に戻り、このとき加熱板３１を起動し、濾過板２２に付着する沈殿物を乾燥させ、三分間後加熱板３１を閉じ、このときモータ４２を逆転させることで、第一伝動軸４３が時計回りに回転して固定棒６５と回転棒６４とにより混合溶液をかき回し、反応を加速させ、反応が十分に行ったとき、モータ４２が第一伝動軸４３を逆転させて順次に一方向軸受９０１とベルト４７と第一副プーリ６３と対称傘歯車１８と傘歯車６６とにより第三伝動軸５４を反時計回りに回転連動させ、したがって主動歯車１７が押し動かしラック１６を右方に移動連動させ、順次に予備空間２０の中の濾過板２２を通って濾過空間３２の中にある沈殿物の付着した濾過板２２を計量板２３に押し、計量板２８が重力で下降し、指針２９がスケール３０に指す目盛りで硫酸塩溶液の濃度を見取ることができる。計量板２８における濾過板２２を取り出すと、設備が初期状態に戻る。
【００３０】
上記方式により、本分野の当業者は本願発明の範囲内に作動パターンにより各種な変化を実行できる。
【要約】
【課題】本発明は硫酸塩溶液の濃度を自動的に測量できる設備を開示した。
【解決手段】外殻を含み、前記外殻の中には作動空間が設置され、前記作動空間の上側内壁には第一伝動軸が回転可能に連結され、前記第一伝動軸には回転方向を選ぶ一方向軸受が設置され、前記第一伝動軸には前記一方向軸受の下側に位置する反応部品が設置され、前記反応部品は前記第一伝動軸に設置された固定棒と、前記固定棒に設置された固定ブロックと、前記第一伝動軸と回転可能に連結された回転棒と、前記回転棒に設置された回転ブロックとを含み、前記回転ブロックと前記固定ブロックとが反応容器に組み合わせ、前記第一伝動軸の間欠的な回転により前記固定棒と前記回転棒とが溶液の反応を加速でき、前記第一伝動軸には前記固定棒の上側に位置する支持枠が設置され、前記支持枠には制御部品が設置される。
【選択図】図１【図１】
0006789480.tif 000002
【図２】
0006789480.tif 000003
【図３】
0006789480.tif 000004
【図４】
0006789480.tif 000005
【図５】
0006789480.tif 000006